(57)【特許請求の範囲】
【請求項１】
バルブを備えた水栓本体を壁裏に設置したケーシング内部に収納して成る壁埋込水栓の吐水部に対して、該壁の表側でエルボ状の継手管を回転可能に装着するとともに、該継手管に対してサプライ管を介して別途の給水手段を接続し、該壁埋込水栓を該給水手段への給水量を制御する止水栓として構成し、
前記ケーシング内には前記継手管の収納スペースと、該継手管を一時的に保持する保持部材とが設けてあることを特徴とする給水設備。
【発明の詳細な説明】
【０００１】
【発明の属する技術分野】
この発明は給水設備に関し、詳しくは壁埋込水栓を止水栓として用いた給水設備に関する。
【０００２】
【従来の技術】
例えばキッチンの流し台のカウンター上に水栓を設置する場合、図９に示しているように給水，給湯用の元配管２００に対して壁Ｗの表側で止水栓２０２を接続し、そしてこの止水栓２０２に対して、カウンターＫ上の水栓（混合水栓）２０４をサプライ管２０６にて接続するようにしていた。
【０００３】
【発明が解決しようとする課題】
しかしながらこの場合、止水栓２０２が壁Ｗから内側（壁の表側）に大きく突出した状態となり、これによってキャビネットの内部空間が煩雑化するとともに、キャビネット内の収納空間が狭められてしまう。
近年、キャビネットの内部空間を広く収納空間として使用しようという傾向にあり、この場合壁Ｗから大きく突出した止水栓２０２がその障害となる。
【０００４】
また従来においては止水栓２０２が上向きに且つ固定状態で設けられており、従って例えばサプライ管２０６としてフレキシブル管を用いてその下端部を止水栓２０２に接続する際、止水栓２０２の位置によってはサプライ管２０６に対し無理な曲げが加わってしまい、サプライ管２０６の収まりが悪くなるとともに、サプライ管２０６を止水栓２０２に対し接続し辛くなることから、水栓２０４の設置施工性が悪いといった問題が生じていた。
【０００５】
【課題を解決するための手段】
本発明の給水設備はこのような課題を解決するために案出されたものである。
而して請求項１のものは、バルブを備えた水栓本体を壁裏に設置したケーシング内部に収納して成る壁埋込水栓の吐水部に対して、該壁の表側でエルボ状の継手管を回転可能に装着するとともに、該継手管に対してサプライ管を介して別途の給水手段を接続し、該壁埋込水栓を該給水手段への給水量を制御する止水栓として構成し、前記ケーシング内には前記継手管の収納スペースと、該継手管を一時的に保持する保持部材とが設けてあることを特徴とする。
【０００６】
【作用及び発明の効果】
上記のように本発明は、バルブを備えた水栓本体を壁裏のケーシング内部に収納して成る壁埋込水栓を止水栓として構成し、そしてその壁埋込水栓の吐水部にエルボ状の継手管を回転可能に装着して、この継手管と別途の給水手段とをサプライ管で接続するようになしたもので、この給水設備の場合、止水栓が壁に埋込状態であるため、従来の止水栓のようにかかる止水栓が壁から室内側に大きく突出してしまうといった問題を解決することができる。
【０００７】
例えばカウンター上に設置される水栓をサプライ管を介して止水栓に接続する場合、止水栓が壁に埋込状態であるため、サプライ管がキャビネット内に配管される場合であっても、大きく突出した止水栓によってキャビネット内の収納空間が煩雑化したり狭められてしまうといった問題を解決することができる。
【０００８】
また本発明ではエルボ状の継手管が止水栓としての壁埋込水栓、詳しくはその吐水部に対し回転可能に装着されているため、サプライ管としてフレキシブル管を用いる場合においても止水栓の位置の如何に拘わらず、継手管の回転動作によってフレキシブル管に無理な曲げがかかるのを防ぐことができる。
即ちサプライ管の収まりが悪くなり、従って水栓の取付施工がし辛いといった従来の問題を解決することができる。
【０００９】
請求項１のものはまた、壁埋込水栓におけるケーシング内に上記エルボ状をなす継手管の収納スペースを設け、且つその継手管を一時的に保持する保持部材を設けたことを特徴としている。
本発明における壁埋込水栓は、通常、先ずケーシングとその内部の水栓本体とを予め壁の裏側の位置に取り付けておき、その後壁を施工した後で、壁埋込水栓の吐水部に対しエルボ状の継手管を装着することとなる。
【００１０】
而してケーシング及びその内部の水栓本体の取付時期と、壁の施工完了時期即ち継手管の装着時期との間には時期的なずれがある。
その間継手管を何れかの場所に保管しておくことが必要となるが、そのような保管場所を確保することが難しい場合があり、また保管中等にこれを紛失する恐れもある。
【００１１】
ここにおいて請求項１ではケーシング内に継手管の収納スペースを設けておいてそこに継手管を一時的に保管しておくようになしたもので、このようにしておけばケーシング及びその内部の水栓本体の取付後において壁の施工完了までの間、継手管をそこに収納しておくことができ、壁の施工完了までの間に継手管を紛失してしまうといったことを防ぐことができる。
特にこの場合において、エルボ状の継手管を伸縮可能となしておいたとき、収縮状態で継手管をケーシング内に収納しておくことができ、ケーシング内における継手管の収納スペースが少なくて済む利点が得られる。
【００１２】
本発明においては、洗濯機用水栓としての壁埋込水栓を上記のようにして止水栓として構成することができる。
このようにすれば壁埋込水栓を洗濯機用水栓及び止水栓に共用することができる。
【００１３】
継手管は、上記のように壁に対する出入方向に伸縮可能なものとなしておくことができ、このようにすれば、取付施工時の位置誤差（壁に対する出入方向の位置誤差）をその伸縮動作によって吸収し易くなる。
【００１４】
上記エルボ状の継手管はまた二股若しくはそれ以上の複数に分岐したものとなしておくことができる。
このように二股若しくはそれ以上に分岐したエルボ状の継手管を用いることで、例えばその内の１つをカウンター上の水栓等の給水設備に接続し、また他の分岐口を食器洗い器その他の水回り機器に接続するといったことが可能となる。
尚、単に１つの給水設備に接続を行うだけの場合には残りの分岐口については盲栓をしておけば良い。
【００１５】
この場合において継手管は壁と直角な方向の主管部と、その主管部の先端部から壁に沿った方向に且つ互いに所定角度をなすように折れ曲った複数の分岐口を有するものとなすことができる。
この場合エルボ状の継手管を回転させることで、止水栓としての壁埋込水栓に対して食器洗い器等の水回り機器が左側の位置に来た場合にも、また逆の右側の位置に来た場合にも対応でき、無理なく継手管と食器洗い器等の水回り機器とを接続することができる。
【００１６】
【実施例】
次に本発明の実施例を図面に基づいて詳しく説明する。
図１において、１０は例えばキッチンの壁Ｗに埋込状態に設置された壁埋込水栓で、１２は例えばキッチンキャビネットのカウンター１４上に起立状態に設置された水栓である。
尚、本例において壁埋込水栓１０は洗濯機用水栓としてのものを水栓１２設置のための止水栓として転用したものである。
【００１７】
この例において、水栓１２はシングルレバー式の混合水栓であって、水栓本体１６と、その上部に設けられた操作レバー１８と、水栓本体１６から側方に延び出した吐水管２０とを有している。
吐水管２０の先端には吐水口２２が形成されており、この吐水口２２からシンクに向けて吐水を行う。
【００１８】
２４は水栓１２に対して水，湯をそれぞれ供給するサプライ管であってキャビネット内部に配管されており、各上端部が水栓本体１６に接続されている。
ここでサプライ管２４はフレキシブル管から成っている。
【００１９】
本例において、壁埋込水栓１０には後述の吐水部５２（図４参照）に対して二股のエルボ状をなす継手管２５が回転可能に装着されており、その継手管２５に対し上記のサプライ管２４のそれぞれの下端部が接続されている。
【００２０】
ここで継手管２５は分岐口２６−１と２６−２とを有しており、それらの一方に対してサプライ管２４の下端部が接続されている。
詳しくは、水側のサプライ管２４（図中右側）は分岐口２６−２に接続され、また湯側のサプライ管２４（図中左側）は分岐口２６−１に対し接続されている。
【００２１】
尚、図１において２８は壁埋込水栓１０における後述のバルブ４４（図４参照）の開度を操作する回転操作部であって、３０は操作摘みである。
この操作摘み３０は、バルブ４４の開度を表す指示部ともなっており、その操作摘み３０の図中上下方向の位置によって、現在のバルブ４４の作動状態を表示するものとなっている。
【００２２】
具体的には、各壁埋込水栓１０におけるカバープレート３２にはバルブ４４の開度を表示するための、即ち給水量を表すための表示部３４が設けてあり、その表示部３４に対する操作摘み３０の相対的な位置関係によって、現在のバルブ４４の開度を表示するものとなっている。
【００２３】
図２〜図４に壁埋込水栓１０の構造が具体的に示してある。
図２（Ａ）に示しているように、壁埋込水栓１０は壁Ｗに形成された取付開口３６において壁Ｗに埋込状態に取り付けられている。
この壁埋込水栓１０は、ボックス状をなすケーシング３８を有しており、そのケーシング３８が壁Ｗの裏側の構造物４０に固定されている。
【００２４】
ケーシング３８の内部には、壁埋込水栓１０における水栓本体４２が収容されている。水栓本体４２は水量調節を行うバルブ４４と接続管部４６とを有している。
ここでバルブ４４及び接続管部４６は別体構造とされており、それらが互いに締結具にて水密に締結されている。
接続管部４６の図中下端部にはワンタッチジョイント４８が設けられており、そこに壁Ｗの裏側に配管された樹脂製の元配管５０の上端部が差込接続されている。
【００２５】
上記バルブ４４は、円筒形状をなす内部の弁体と外筒との二重筒構造をなしていて（図示は省略）、それぞれに通水用の開口が形成されている。
そしてその弁体が回転運動することで開弁位置において各開口が一致し、それら開口を通じて水が流通して後述の吐水部５２から水が流出する。
【００２６】
また閉弁位置において弁体と外筒との開口が不一致となり、ここにおいて吐水部５２からの吐水停止、即ち止水が行われる。
またそれらの間において弁体の回転運動とともに各開口の一致する部分の面積即ちバルブ開度が変化し、その開度に応じて吐水部５２からの水の流出水量が変化する。
上記回転操作部２８はその弁体を回転操作する部分となる。
【００２７】
図２及び図４において、５４は元配管５０をケーシング３８内部に貫入させるための開口を閉鎖する閉鎖部材であって、全体として容器状をなしている。
この閉鎖部材５４は、円筒形状をなす内周壁部５６と平面四角形状をなす外周壁部５８とを有しており、その内周壁部５６において元配管５０の外周面に水密に嵌合している。
【００２８】
この閉鎖部材５４は、万一元配管５０と水栓本体４２との接続部等から漏水があったとき、それら内周壁部５６と外周壁部５８との間の容器空間にこれを受け、更に壁Ｗの表面側に漏出させるための部材であって、図４に詳しく示しているように外周壁部５８から室内方向に向いて突き出す樋部６０を有している。
この閉鎖部材５４内部に溜まった水は、この樋部６０を通じて壁Ｗの表側に導き出される。
【００２９】
図３に示しているように、壁埋込水栓１０はケーシング３８の前面開放部及び壁Ｗの取付開口３６をカバープレート３２にて閉鎖するようになしてあり、このカバープレート３２が、プレート状のフレーム６２を介して壁Ｗの内面（表面）に固定されている。
尚、フレーム６２には固定部６４が設けられていて、その固定部６４においてフレーム６２がケーシング３８内部の水栓本体４２にねじ締結されている。
【００３０】
カバープレート３２は、図３に示しているように表示部３４に隣接する位置に上下方向のスリット状の開口６６を有しており、このスリット状の開口６６を通じて回転操作部２８が室内側に一部突き出している。
カバープレート３２にはまた、その中心部に円形の開口６８が設けられており、この開口６８を通じてエルボ状をなす上記継手管２５が、水栓本体４２に設けられた吐水部５２に接続されている。
【００３１】
継手管２５は、図４（Ｂ）及び図６に示しているように、壁Ｗの出入方向に延びる主管部７０を有しており、その主管部７０の先端部において上記分岐口２６−１，２６−２が二股に分岐している。
ここで分岐口２６−１，２６−２は、それぞれ壁Ｗと平行な面内で９０°の角度をなしており、更にこれら分岐口２６−１，２６−２が主管部７０に対しそれぞれ直角に折れ曲がっている。
この主管部７０の基端部にはねじ接続部７２が備えられており、このねじ接続部７２において、エルボ状をなす継手管２５が吐水部５２に接続されている。
【００３２】
継手管２５は、図５に示しているようにその主管部７０が外筒７４と内筒７６との二重筒構造をなしている。
内筒７６の先端部には大径部７８が設けられていてその外周面にＯリング８０が装着され、内筒７６がこの大径部７８において外筒７４に対し回転可能且つ軸方向に摺動可能な状態で水密に嵌合されている。
即ちこの例において継手管２５は壁Ｗの出入方向に伸縮可能なものとされている。
【００３３】
図６及び図７に示しているように、上記サプライ管２４は継手管２５に対し、金属製のばねクリップ８２によってワンタッチで接続されている。
詳しくは、サプライ管２４の先端部には雄管部８４が設けられていてその外周面にシール部材としてのＯリング８５が装着され、その雄管部８４が継手管２５における分岐口２６−１又は２６−２に挿入された状態で、ばねクリップ８２の嵌込みにより継手管２５に回転可能且つ水密に接続されている。
尚９０は化粧キャップである。
【００３４】
図３に示しているように、壁埋込水栓１０におけるケーシング３８には継手管２５のための収納スペースＳが確保されており、そこに継手管２５が一時的に保管されるようになっている（図２及び図４参照）。
そのため図４（Ｂ）に示しているように、ケーシング３８には継手管２５を一時的に保管するための保持部材８６が設けられている。
ここで保持部材８６はＣリング状をなす弾性保持部８８を有しており、この弾性保持部８８を継手管２５の主管部７０に弾性的に嵌め合せてこれを保持するようになっている。
【００３５】
図１に示しているように、本例においてはカウンター１４上の水栓１２と継手管２５とをサプライ管２４を介して接続する際、継手管２５における二股の分岐口２６−１，２６−２の内の適宜のものにサプライ管２４の下端部を接続することができる。
【００３６】
例えば、図１において湯側のサプライ管２４については分岐口２６−１に接続するのが好適であり、また水側のサプライ管２４については分岐口２６−２にこれを接続するのが好適である。
この場合、継手管２５の回転動作によってサプライ管２４に無理な曲げが加わるのが回避され、サプライ管２４が収まり良く継手管２５と水栓１２とを接続した状態となる。
尚、使用していない今一方の分岐口２６−２又は２６−１については盲栓をしておけば良い。
【００３７】
上記のように本例の給水設備の場合、止水栓としての壁埋込水栓１０が壁に埋込状態であるため、従来のように止水栓が壁から室内側に大きく突出してしまうといった問題を生じない。
【００３８】
而して止水栓が壁に埋込状態であるため、サプライ管２４がキャビネット内に配管される場合であっても、大きく突出した止水栓によってキャビネット内の収納空間が煩雑化したり狭められてしまうといった問題を生じない。
【００３９】
また本例では継手管２５が壁埋込水栓１０、詳しくはその吐水部５２に対し回転可能に装着されているため、サプライ管２４としてフレキシブル管２４を用いても、止水栓の位置の如何に拘わらず継手管２５の回転動作によってフレキシブル管に無理な曲げがかかるのを防ぐことができ、従って水栓１２の取付施工を容易に行うことができる。
【００４０】
また二股の継手管２５を用いることで、例えば図８に示しているようにその内の１つの分岐口２６−１をカウンター１４上の水栓１２等の給水設備に接続し、他の分岐口２６−２を食器洗い器その他の水回り機器に接続するといったことが可能となる。
【００４１】
この場合図８に示すようにエルボ状の継手管２５を回転させることで、止水栓としての壁埋込水栓１０に対し食器洗い器等の水回り機器が（Ｂ）に示す左側の位置に来た場合にも、逆の（Ａ）に示す右側の位置に来た場合にも、無理なく継手管２５と食器洗い器等の水回り機器とを接続することができる。
【００４２】
本例の壁埋込水栓１０では、ケーシング３８及びその内部の水栓本体１６の取付時期と壁の施工完了時期、即ち継手管２５の装着時期との間に時期的なずれがあるとき、その間ケーシング３８内に継手管２５を一時的に保管しておくことができ、ケーシング３８及びその内部の水栓本体１６を取り付けた後、壁Ｗの施工完了までの間に継手管２５を紛失してしまうのを防ぐことができる。
この場合においてエルボ状の継手管２５を伸縮可能となしてあるため、継手管２５を収縮状態でケーシング３８内に収納しておくことができ、ケーシング３８内における継手管２５の収納スペースＳを少なくすることができる。
【００４３】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である給水設備を示す図である。
【図２】  図１における壁埋込水栓を示す図である。
【図３】  図２の壁埋込水栓を各部材に分解して示す図である。
【図４】  図２の壁埋込水栓の要部を拡大して示す図である。
【図５】  同じ実施例の継手管を示す図である。
【図６】  同じ実施例の継手管とサプライ管との接続構造を示す図である。
【図７】  図６の要部を更に拡大して示す図である。
【図８】  同じ実施例の給水設備の作用説明図である。
【図９】  本発明の背景説明のための説明図である。
【符号の説明】
１０  壁埋込水栓
１２  水栓
１４  カウンター
１６  水栓本体
２４  サプライ管
２５  継手管
２６−１，２６−２  分岐口
３８  ケーシング
４４  バルブ
５２  吐水口
７０  主管部
８６  保持部材
Ｗ  壁
Ｓ  収納スペース
【図１】
0003760108.tif 000002
【図２】
0003760108.tif 000003
【図３】
0003760108.tif 000004
【図４】
0003760108.tif 000005
【図５】
0003760108.tif 000006
【図６】
0003760108.tif 000007
【図７】
0003760108.tif 000008
【図８】
0003760108.tif 000009
【図９】
0003760108.tif 000010